(57)【要約】  車輪線路（１０３）の外側に配置されたリニアモーター（７）および磁気浮上レール（５）を含む磁気浮上線路（３）を含む、車輪線路（１０３）に統合するための磁気浮上鉄道システム。前記磁気浮上レール（５）は、磁石を有する浮上装置（１２）を有する磁気浮上式鉄道車両（２）用に構成された少なくとも水平部分（９ａ）を有する導電性ガイドレール（９）を備える。 ガイドレール（９）は、磁気浮上式鉄道車両（２）の可動磁石によって生成される起電力による磁気浮上式鉄道車両の受動的浮上のために構成されている。
2021535309.tif 000002
【特許請求の範囲】
【請求項１】
車輪鉄道線路（１０３）に統合するための磁気浮上式鉄道システムであって、リニアモーター（７）および前記車輪鉄道線路（１０３）の外側に配置された磁気浮上レール（５）を含む磁気浮上式鉄道線路（３）を備え、前記磁気浮上レール（５）は、磁石を有する浮上装置（１２）を有する磁気浮上式鉄道車両（２）のために構成された少なくとも水平部分（９ａ）を有する導電性ガイドレール（９）を備え、前記ガイドレール（９）は、前記磁気浮上式鉄道車両（２）の移動する磁石によって生成された起電力により前記磁気浮上式鉄道車両が受動的に浮上するように構成されている、磁気浮上式鉄道システム。
【請求項２】
非バラスト地面支持体（１０１ｂ）に統合するための磁気浮上式鉄道システムであって、基板（１６）に組み込まれた補強フレーム（１４）を備える製造されたベースプレート（１３）と、前記製造されたベースプレート（１３）に取り付けられた磁気浮上レールとを備え、前記製造されたベースプレートは、変形可能な応力分散材料を含む地面−プレート界面層（１９）を介して前記非バラスト地面支持体（１０１ｂ）に取り付けられる、磁気浮上式鉄道システム。
【請求項３】
前記変形可能な応力分散材料が、ポリマー または アスファルトを含む、請求項２に記載のシステム。
【請求項４】
前記非バラスト地面支持体（１０１ｂ）に結合された前記製造されたベースプレート（１３）は、前記非バラスト地面支持体（１０１ｂ）に対して前記製造されたベースプレート（１３）の位置を固定するための地面−プレート位置決めポスト（２１）を含む、請求項２または３に記載のシステム。
【請求項５】
前記地面−プレート位置決めポスト（２１）は、鉄道線路の中心線に略沿って配置される、請求項４に記載のシステム。
【請求項６】
前記製造されたベースプレート（１３）は、前記基板（１６）の固定インサート受容部（２０）に取り付けられた固定インサート（１８）をさらに備え、前記磁気浮上レール（５）は、前記固定インサート（１８）に固定され、前記固定インサートは、個別に、鉄道線路の方向に間隔を空けて配置されている、請求項２〜５のいずれか一項に記載のシステム。
【請求項７】
前記システムは、前記システムに取り付けられた従来の車輪鉄道線路（１０３）をさらに備え、前記従来の車輪鉄道線路（１０３）は、前記製造されたベースプレート（１３）に取り付けられたレール（１０５）を備える、請求項２〜６のいずれか一項にシステム。
【請求項８】
前記車輪鉄道線路のための前記レール（１０５）は、前記固定インサート（１８）に固定される、請求項７に記載のシステム。
【請求項９】
少なくとも１つのリニアモーター（７）が線路の中心線に沿って前記車輪鉄道線路（１０３）に固定されている、請求項８に記載のシステム。
【請求項１０】
前記リニアモーターは、前記リニアモーターのいずれかの側面に配置された磁石に磁気的に結合する、垂直に直立した同期モーターを備える、請求項９に記載のシステム。
【請求項１１】
前記リニアモーターは、前記リニアモーターのいずれかの側面に配置された導電性プレートに結合する、垂直に直立した同期モーターを備える、請求項９に記載のシステム。
【請求項１２】
磁気浮上式鉄道線路が、前記磁気浮上レール（５）に沿って配置され固定された少なくとも１つのリニアモーターを備える、請求項１〜１１のいずれか一項に記載のシステム。
【請求項１３】
前記ガイドレール（９）が、磁気浮上式鉄道車両（２）を横方向に案内するための水平部分（９ａ）から延在する垂直部分（９ｂ）を備える、請求項１〜１２のいずれか一項に記載のシステム。
【請求項１４】
枕木（４）をさらに備え、前記枕木（４）は、補強材（４８）が埋め込まれた基板（４６）と、前記枕木（４）の上部取付面から直立するアンカー要素（５０）とを備え、前記アンカー要素は、従来のレール（１０５）のためのアンカー要素を含み、さらに前記枕木の外側端部に磁気浮上レール（５）のためのアンカー要素を備える、請求項１〜１３のいずれか一項に記載のシステム。
【請求項１５】
前記ガイドレールが支持レール（１０）または支持ピラー（２８）に取り付けられ、前記支持レールまたは支持ピラーは、前記枕木（４，１０４）または製造されたベースプレート（１３）に結合されている、請求項１〜１４のいずれか一項に記載のシステム。
【請求項１６】
前記ガイドレールは、前記ガイドレール（９）の垂直高さおよび／または水平位置を調整するよう構成された位置調整機構（３２）を含む前記支持レールに結合されている、請求項１５に記載のシステム。
【請求項１７】
車輪鉄道線路（１０３）のための従来のレール（１０５）の下側に取り付けるよう構成された固定部分（３０）を備え、前記磁気浮上レール（５）の前記ガイドレールを上に取り付けるための部分をさらに備える結合アダプタ（１１）をさらに備える請求項１〜１６のいずれか一項に記載のシステム。
【請求項１８】
結合アダプタ車輪レール固定部分（３０）が受容プロファイル（３８）と、前記レール（１０５）の下側に締め付けるためのクランプ機構（４０）とを備える、請求項１７に記載のシステム。
【請求項１９】
前記磁気浮上レール（５）は、前記ガイドレール（９）および支持レール（１０）または結合アダプタ（１１）の間に挿入するために変形可能な材料を備えるアダプタ‐ガイド界面層（４２）を備える、請求項１〜１８のいずれか一項に記載のシステム。
【請求項２０】
前記アダプタ‐ガイド界面層（４２）がポリマー材料を含む、請求項１９に記載のシステム。
【請求項２１】
車輪鉄道線路（１０３）に統合するための磁気浮上式鉄道線路（３）を備える鉄道システムのための結合アダプタ（１１）であって、前記磁気浮上式鉄道線路は、前記車輪鉄道線路（１０３）の車輪レール（１０５）の外側に配置された磁気浮上レール（５）を含み、前記結合アダプタは、前記鉄道システムの枕木（４，１０４）上または間に取り付けられるように構成された、前記車輪レール（１０５）の底部に取り付けるよう適合された形状を有する受容プロファイル（３８）と、前記結合アダプタを前記車輪レールの下側にしっかり固定するために締め付けることができるクランプ機構（４０）とを備える車輪レール固定部分（３０）を備える、結合アダプタ（１１）。
【請求項２２】
クランプシステムは、１または複数の調整可能なクランプフックを備える、請求項２１に記載の結合アダプタ。
【請求項２３】
前記磁気浮上レール（５）のガイドレール（９）の取り付けのための支持ピラー（２８）と、前記支持ピラーの位置を調整するための位置調整機構（３２）とを備え、それにより前記クランプ機構に対する前記ガイドレールの位置を調整する、請求項２１または２２に記載の結合アダプタ。
【請求項２４】
前記支持ピラーは、前記車輪レールに対して前記ガイドレールの高さを調整するための傾斜した調整ガイド面（３６ａ）を備える、請求項２３に記載の結合アダプタ。
【請求項２５】
前記支持ピラーの前記調整ガイド面は、前記枕木の傾斜した上部取付面（３６ｂ）に直接係合するか、または代わりに、前記磁気浮上レール（５）が取り付けられた前記枕木または他の構造に固定して取り付けられたブロックの上部傾斜面に係合する、請求項２４に記載の結合アダプタ。
【請求項２６】
請求項２１〜２５のいずれか一項に記載の結合アダプタを備える、請求項１〜１５のいずれか一項に記載のシステム。
【発明の詳細な説明】
【技術分野】
【０００１】
本発明は、鉄道システム、特に、既存の鉄道網または道路網に統合され得る磁気浮上式鉄道システムに関する。
【背景技術】
【０００２】
車輪付き列車の既存の鉄道ネットワークは、磁気浮上列車の線路を含むように変更できることが知られている。既存の鉄道線路インフラストラクチャを使用すると、実装のコストと時間を削減する上で大きな利点があるが、既存のインフラストラクチャは通常、磁気浮上システム用に最適化されておらず、パフォーマンスの低下、特に磁気浮上列車の速度の低下につながるため、いくつかの妥協が必要である。実装の容易さ、特に既存の従来の鉄道線路への影響を最小限に抑えながら、磁気浮上システムを統合するための既存のネットワークの適応は重要な要素である。既存の線路にはバラストまたは非バラストのさまざまな表面がある可能性があることを考慮すると、線路に沿ったこれらのさまざまな表面への適応も考慮する必要がある。
【発明の概要】
【発明が解決しようとする課題】
【０００３】
上記を考慮して、本発明の目的は、既存のインフラストラクチャ、特に既存の鉄道網または既存の道路網に統合することができ、迅速かつ容易に設置でき、しかも優れたパフォーマンスと信頼性を提供する磁気浮上式鉄道システムを提供することである。
【０００４】
既存のインフラストラクチャに迅速に展開でき、既存のインフラストラクチャのさまざまな条件に簡単に適応できる、既存の鉄道または道路インフラストラクチャに統合するための磁気浮上式鉄道システムを提供することは有利である。
【０００５】
真空管操作のために費用効果の高い方法でさらにアップグレードすることができる磁気浮上レールシステムを提供することは有利である。
【課題を解決するための手段】
【０００６】
本発明の目的は、請求項１に記載のシステムを提供することによって達成される。
【０００７】
本発明の目的は、請求項２に記載のシステムを提供することによって達成される。
【０００８】
本発明の目的は、請求項２１に記載の磁気浮上式鉄道システム用の結合アダプタを提供することによって達成される。
【０００９】
本明細書に開示されるのは、リニアモーターおよび車輪鉄道線路の外側に配置された磁気浮上レールを含む磁気浮上式鉄道線路を備える車輪鉄道線路に統合するための磁気浮上式鉄道システムであり、前記磁気浮上レールは、磁石を有する浮上装置を有する磁気浮上式鉄道車両用に構成された少なくとも水平部分を有する導電性ガイドレールを備える。
【００１０】
本発明の第１の態様によれば、ガイドレールは、磁気浮上式鉄道車両の移動磁石によって生成される起電力による磁気浮上式鉄道車両の受動的な浮上のために構成される。
【００１１】
本発明の第２の態様によれば、磁気浮上式鉄道システムは、非バラスト地面支持体に統合するためのものであり、基板に埋め込まれた補強フレームを備える製造されたベースプレートと、製造されたベースプレートに取り付けられた磁気浮上レールとを備え、製造されたベースプレートは、変形可能な応力分散材料を含む地面−プレート界面層を介して、非バラスト地面支持体に取り付けられている。
【００１２】
有利な実施形態では、変形可能な応力分散材料は、ポリマーまたはアスファルトを含む。
【００１３】
有利な実施形態においては、非バラスト地面支持体に結合された製造されたベースプレートは、非バラスト地面支持体に対する製造されたベースプレートの位置を記録する地面−プレート位置決めポストを含む。
【００１４】
有利な実施形態では、地面−プレート位置決めポストは、実質的に線路の中心線に沿って配置される。
【００１５】
有利な実施形態では、製造されたベースプレートは、基板の固定インサート受容部に取り付けられた固定インサートをさらに含み、磁気浮上レールは固定インサートに固定され、固定インサートは、個別であり、線路の方向に間隔を空けて配置されている。
【００１６】
有利な実施形態では、システムは、その上に取り付けられた従来の車輪鉄道線路をさらに含み、従来の車輪鉄道線路は、製造されたベースプレートに取り付けられたレールを備える。
【００１７】
有利な実施形態では、車輪鉄道線路用のレールは、固定インサートに固定されている。
【００１８】
有利な実施形態では、少なくとも１つの前記リニアモーターは、線路の中心線に沿って車輪鉄道線路に固定されている。
【００１９】
有利な実施形態では、リニアモーターは、リニアモーターのいずれかの側面に配置された磁石に磁気的に結合するために垂直に直立した同期モーターを含む。
【００２０】
別の実施形態では、リニアモーターは、リニアモーターのいずれかの側面に配置された導電性プレートに結合するために垂直に直立した非同期モーターを含む。
【００２１】
有利な実施形態では、磁気浮上式鉄道線路は、磁気浮上レールに沿って配置され、磁気浮上レールに固定された少なくとも１つのリニアモーターを備える。
【００２２】
有利な実施形態では、ガイドレールは、磁気浮上式鉄道車両を横方向に案内するために水平部分から延びる垂直部分を備える。
【００２３】
有利な実施形態では、システムは、補強材を埋め込んだ基板および枕木の上部取付面から直立するアンカー要素を含む枕木をさらに含み、前記アンカー要素は、従来のレール用のアンカー要素を含み、枕木の外側の端に磁気浮上レール用のアンカー要素をさらに含む。
【００２４】
有利な実施形態では、ガイドレールは、支持レールまたは支持ピラーに取り付けられ、支持レールまたは支持ピラーは、枕木または製造されたベースプレートに結合されている。
【００２５】
有利な実施形態では、ガイドレールは、ガイドレールの垂直高さおよび／または水平位置を調整するように構成された位置調整機構を含む支持レールに結合される。
【００２６】
有利な実施形態では、システムは、車輪鉄道線路用の従来のレールの下側に取り付けるように構成された固定部分を含み、磁気浮上レールのガイドレールをその上に取り付けるための部分をさらに含む結合アダプタをさらに含む。
【００２７】
有利な実施形態では、結合アダプタ車輪レール固定部分は、受容プロファイルと、前記車輪レールの下側に締め付けるためのクランプ機構を備える。
【００２８】
有利な実施形態では、磁気浮上レールは、ガイドレールと支持レールまたは結合アダプタとの間に挿入するための変形可能な材料を含むアダプタ−ガイド界面層を含む。
【００２９】
有利な実施形態では、アダプタ−ガイド界面層は、ポリマー材料を含む。
【００３０】
また、本発明の第３の態様によれば、車輪鉄道線路に統合するための磁気浮上式鉄道線路を備える鉄道システムのための結合アダプタが開示され、磁気浮上式鉄道線路は、車輪鉄道線路の車輪レールの外側に配置された磁気浮上レールを含む。結合アダプタは、鉄道システムの枕木上または枕木間に取り付けるように構成され、前記車輪レールの底部に取り付けるように適合された形状を有する受容プロファイルと、結合アダプタを車輪レールの下側にしっかりと固定するために締めつけることができるクランプ機構とを備える車輪レール固定部分を備える。
【００３１】
有利な実施形態では、クランプシステムは、１つまたは複数の調整可能なクランプフックを備える。
【００３２】
有利な実施形態では、クランプシステムは、磁気浮上レールのガイドレールを取り付けるための支持ピラーと、支持ピラーの位置を調整してそれによってクランプ機構に対するガイドレールの位置を調整するための位置調整機構とを備える。
【００３３】
有利な実施形態では、支持ピラーは、車輪レールに対するガイドレールの高さを調整するための傾斜した調整ガイド面を備える。支柱ピラーの調整ガイド面は、枕木の傾斜した上部取付面に直接係合するか、あるいは枕木または磁気浮上レールが取り付けられている他の構造物に固定して取り付けられたブロックの上部傾斜面に係合することができる。
【００３４】
本発明のさらなる目的および有利な態様は、特許請求の範囲から、ならびに以下の詳細な説明および付随する図から明らかになるであろう。
【００３５】
次に、本発明は、本発明の実施形態を例として説明し、以下を含む添付の図面を参照して説明される。
【図面の簡単な説明】
【００３６】
【図１ａ】本発明の一実施形態による磁気浮上式鉄道システムを含む鉄道線路の概略断面図である。
【図１ｂ】断面図１ａの鉄道線路の概略図である。
【図２】変形例の図１ｂと同様の概略図である。
【図３】本発明の実施形態の図１ａと同様の概略図である。
【図４ａ】本発明の別の実施形態の図１ａと同様の概略図である。
【図４ｂ】本発明の一実施形態による、磁気浮上レール用の結合アダプタの概略断面図である。
【図４ｃ】図４ｂの矢印ＩＶｃ方向の図である。
【図４ｄ】本発明の一実施形態による鉄道線路の断面の概略上面図である。
【図４ｅ】本発明の別の実施形態による鉄道線路の断面の概略上面図である。
【図５ａ】本発明の一実施形態による、鉄道システムの鉄道枕木の側面および部分断面図である。
【図５ｂ】図５ａの鉄道枕木の上面図である。
【図５ｃ】図５ｂの線Ｖｃ−Ｖｃを通る断面図である。
【図６ａ】本発明の実施形態による鉄道システムで使用することができるリニアモーターの第１の実施形態を示す概略斜視図である。
【図６ｂ】他の実施形態の図６ａと同様の図である。
【図６ｃ】さらに別の実施形態の図６ａと同様の図である。
【図６ｄ】さらに別の実施形態の図６ｂと同様の図である。
【図７ａ】本発明の実施形態によるリニアモーターの一相の巻線の概略斜視図である。
【図７ｂ】変形例の図６ａと同様の図である。
【図８ａ】本発明の実施形態による、鉄道システムの磁気浮上レールの一部の概略斜視図である。
【図８ｂ】本発明の実施形態による鉄道車両に取り付けられた磁気浮上要素の磁石の分極の概略図である。
【図８ｃ】本発明の実施形態による鉄道車両に取り付けられた磁気浮上要素の磁石の分極の概略図である。
【図９ａ】本発明の異なる実施形態による磁気浮上式鉄道システムの様々な構成の簡略化された概略図である。
【図９ｂ】本発明の異なる実施形態による磁気浮上式鉄道システムの様々な構成の簡略化された概略図である。
【図９ｃ】本発明の異なる実施形態による磁気浮上式鉄道システムの様々な構成の簡略化された概略図である。
【図９ｄ】本発明の異なる実施形態による磁気浮上式鉄道システムの様々な構成の簡略化された概略図である。
【図１０ａ】従来の道路を示す断面の概略図である。
【図１０ｂ】従来の道路に統合された磁気浮上式鉄道システムを示す図１０ａと同様の図である。
【図１１ａ】本発明の別の実施形態による鉄道線路の概略部分断面図である。
【図１１ｂ】別の断面レーンにおける図１１ａと同様の図である。
【図１２】図１１ａおよび図１１ｂの実施形態を有する鉄道システムの概略図である。
【図１３】真空管をさらに含む図１１ａおよび図１１ｂの実施形態を伴う鉄道システムの別の実施形態の図である。
【発明を実施するための形態】
【００３７】
図を参照すると、従来の車輪鉄道車両１０２を誘導するための従来の車輪鉄道線路１０３と、磁気浮上式鉄道車両２を誘導するための本発明の実施形態による磁気浮上式鉄道線路３とを含む鉄道システムが示されている。磁気浮上式鉄道線路３は、既存の従来の車輪ベースの鉄道システムに統合することも、新しく設置したインフラストラクチャに従来の車輪ベースの鉄道システムを組み込むことも可能である。鉄道システムには、既存の従来の線路のセクションと、同じネットワークの一部として、または既存の路線に沿った新しいセクションが含まれる場合があり、たとえば、既存の路線の特定のセクションは、鉄道システムの維持状況に応じて新しいセクションに置き換えられる場合がある。したがって、本発明の実施形態は、完全に統合されたシームレスな方法で、鉄道網の新しいセクションのアップグレード、交換、または設置のいずれかを可能にする。
【００３８】
鉄道線路１０３、３は、バラスト、すなわち砂利および石１０１ａを含むベースであるか、または自動車用の路面、またはたとえば橋やトンネルなどのその他の工学的構造物の一部を形成し得るコンクリートまたはアスファルトなどの非バラスト支持体１０１ｂであり得る線路地面支持体１０１上に支持される。
【００３９】
バラスト地面支持体１０１ａ上の従来の車輪鉄道線路１０３は、一般に、プレストレスト鉄筋コンクリート、または特に古いインフラストラクチャでは木製の梁で作られる枕木１０４を備える。レール１０５は、固定機構１０６によって梁に固定されており、このような機構はそれ自体よく知られており、本明細書で詳細に説明する必要はないだろう。
【００４０】
本発明の実施形態による磁気浮上式鉄道線路３は、磁気浮上式鉄道車両２を誘導するための磁気浮上レール５と、磁気浮上式鉄道車両２を駆動するための推進力を提供するためのリニアモーター７とを備える。磁気浮上式鉄道線路３は、従来の既存の枕木１０４、または本発明の実施形態による枕木４、または本発明の実施形態による製造されたベースプレート１３上に支持され得る。上記の実施形態のすべてまたは一部は、既存のインフラストラクチャの状態に応じて、その異なるセクションに沿った鉄道線上に見出すことができる。
【００４１】
磁気浮上レール５は、それ自体が周知の基準、例えば構造限界に従った従来の車輪鉄道車両１０２の底部よりも低い全高を有する従来のレール１０５の外側に取り付けられている。各磁気浮上レール５は、実施形態に応じて異なるプロファイルを有することができるガイドレール９を備える。ガイドレールは、連続レール１０、または結合アダプタ１１の個別のピラー２８の形態であり得る支持体に、任意選択で、アダプタ‐ガイド界面層４２を介して取り付けられる。ガイドレール９および支持レール１０または結合アダプタ１１は、実施形態に応じて、枕木４、１０４または製造されたベースプレート１３に結合される。
【００４２】
図３に示されるような第１の実施形態では、ガイドレール９および支持レール１０は、枕木４、１０４に直接結合されている。
【００４３】
図４ａから図４ｅに示される他の有利な実施形態では、結合アダプタ１１は、ガイドレール９を支持するために設けられ、結合アダプタ１１は、車輪鉄道線路１０３のレール１０５に取り付けるように構成される。
【００４４】
第１の実施形態における結合アダプタ１１は、図４ｄに示されるように枕木４、１０４、または非バラスト支持体（例えば、路面）に取り付けられ得る。第２の実施形態では、結合アダプタ１１は、図４ｅに示されるように、（線路方向において）枕木４、１０４の間に取り付けられる。第２の実施形態は、既存の枕木がその外端に磁気浮上線路を取り付けるために、またはバラスト地面支持体１０１ａに沿って磁気浮上式鉄道線路をより容易かつより迅速に展開するために十分に適合されていない状況で使用され得る。
【００４５】
図４ｂおよび図４ｃに最もよく示される本発明の実施形態による結合アダプタ１１は、従来のレール１０５の底部に取り付けるように適合された形態を有する受容プロファイル３８を含む車輪レール固定部分３０と、結合アダプタ１１を従来のレール１０５の下側にしっかりと固定するために締め付けることができる、例えば１つまたは複数の調整可能なクランプフック４０の形態のクランプ機構とを備える。
【００４６】
結合アダプタ１１は、図４ｅに示されるように枕木４、１０４の間のレールのセクションに、または図４ｄに示されるように枕木４、１０４上に固定され、枕木は、例えば、クランプ機構が配置されているレールのセクションの下にある砂利および石を除去することによってバラスト表面上で支持される。
【００４７】
結合アダプタ１１は、すべての枕木の上または間に設置することができ、あるいは２個または３個の枕木ごとに設置することができる。言い換えると、結合アダプタは、結合アダプタが取り付けられていない１つまたは複数の枕木によってレール５の方向に分離され得る。
【００４８】
図４ｂ、図４ｃに示される実施形態では、支持ピラー２８の反対側に配置された一対のクランプフック４０が設けられる。
【００４９】
結合アダプタ１１は、ガイドレール９を取り付けるための支持ピラー２８をさらに備える。支持ピラー２８は、一実施形態では、位置調整機構３２の一部を形成する調整ガイド面３６ａを備えてもよく、位置調整機構３２は、クランプ機構４０および車輪レール固定部分３０の受容プロファイル３８に対してガイドレール９の位置を調整するための調整ネジ３４をさらに備える。例えば板バネで作られたバネ４４を調整機構に組み込んで、調整ネジに対して支持ピラー２８を弾性的に付勢することができる。
【００５０】
図４ｂの図示の実施形態では、支持ピラー２８の調整ガイド面３６ａは、枕木４の傾斜した上部取付面３６ｂに直接係合するか、あるいは、浮上レール５が取り付けられている枕木または他の構造物に固定して取り付けられたブロック（図示せず）の上部傾斜面に係合する。
【００５１】
図４ｃおよび図４ｂの図示の実施形態では、調整ガイド面３６ａ、３６ｂは、水平線に対してわずかに傾斜しており、調整ネジ３４を回すことによって支持ピラー２８の変位がガイドレール９を上昇または下降させることができる。したがって、車輪レール固定部分３０の位置、および線路の近くの部分にある隣接する結合アダプタの位置決め角度に対するその角度をわずかに変える可能性があるレールのベースの不規則性および製造公差を考慮に入れるために、鉄道線路に沿ったガイドレール９の高さを車輪鉄道線路１０３のレール１０５に対して調整することができる。
【００５２】
ガイドレール９の横方向位置を調整するために、ガイドレール９および支持レール１０または結合アダプタ１１との間にさらなる位置調整機構を設けることができる。変形例（図示せず）では、支持ピラー２８と枕木４との間の位置調整機構の代わりに、あるいは追加して、高さおよび／または横方向位置を調整するための位置調整機構をガイドレール９および支持レール１０または結合アダプタ１１との間に設けることができることに留意されたい。
【００５３】
アダプタ−ガイド界面層４２は、ポリマーまたは複合材料または他の材料で作られ、ガイドレール９と支持レール１０または結合アダプタ１１との間のある程度の柔軟性を可能にする。これは、ガイドレールと支持レールの間の接触における局所的な応力を減衰させるため、および／またはガイドレールと支持レールまたは結合アダプタ１１の間の振動および動きを減衰させるために役立つ場合がある。
【００５４】
アダプタ−ガイド界面層４２はまた、ガイドレールと支持レールまたは結合アダプタ１１との間の誘電体分離として有利に機能し得る。これは、金属間、特にアルミニウムと鋼の界面のガルバニック腐食を減少することに役立つ場合がある。誘電体層はまた、浮揚を引き起こす起電力を生成する車両上の磁場の通過に起因する渦電流によって引き起こされる磁気浮上力を改善および最適化することができる。
【００５５】
図３に示す実施形態では、支持レール１０は、例えば種々の形態で提供することができる固定手段６によって、例えば従来の鉄道路線の固定のためによく知られているボルトおよびクランプによって、または例えば外部環境での高負荷用途に適合した適切な接着剤を使用して、枕木に直接溶接または接着することによって、枕木１０４、４に直接取り付けられるものとして示されている。
【００５６】
変形例（図示せず）では、結合アダプタを支持レールと枕木の間に挿入することができ、結合アダプタは、例えば、支持レール、したがって、ガイドレール９の高さおよび／または横方向位置の調整を可能にする位置調整機構を備える。
【００５７】
図示の実施形態では、ガイドレールは、本質的に、磁気浮上車両の垂直位置を案内するための水平部分９ａを有する平板またはプレートの形態で示され、有利な実施形態では、ガイドレールは、磁気浮上車両の横方向（水平方向）位置を案内するための垂直部分９ｂをさらに含み得る。内側には、ガイドレールを支持レール１０または支持ピラー２８に固定するために、さらなる垂直部分９ｃを設けることができる。
【００５８】
ガイドレール９は、導電体の近くの移動磁場によって発生する起電力の周知の物理原理に従って、移動する浮上車両２の浮上要素を押し上げる起電力を発生させるために、導電性材料で形成されている。したがって、本発明の一態様による浮上システムは、車両２が特定の速度で移動すると、車両２上の磁気浮上要素によって浮上力が生成されて、ガイドレール９との接触から車両を持ち上げる浮上力を生成するパッシブシステムである。
【００５９】
したがって、磁気浮上車両２は、特定の速度が達成されるまでガイドレール９に沿ってスライドまたは転がることを可能にする車輪またはスライド（図示せず）を備えている。実際の例では、十分な浮上力が発生する速度は、通常、時速４０〜６０ｋｍの範囲である。浮上車両がガイドレール９に接触する速度が比較的遅いことを考慮し、さらに、浮上力で持ち上げる前でも、ガイドレールに加えられる車両の重量を減らすことを考慮すると、磁気浮上車両の車輪は、従来の鉄道車両の車輪と比較して、高い機械的強度および抵抗を有する必要はない。したがって、それらは、例えば、ポリマー材料またはポリマー複合材料、またはガイドレールへの過度の圧力および損傷を防ぐポリマー材料でコーティングされた金属で形成され、より小さく、より軽くなり得る。好ましい実施形態では、磁気浮上車両の車輪の表面材料は、ガイドレール９を形成する導電性材料の硬度よりも低い硬度を有する。
【００６０】
ガイドレール９の好ましい材料には、鋼およびアルミニウム合金が含まれる。ただし、銅合金などの他の導電性材料を使用することもできる。ガイドレール９はまた、積み重ねられた構造の複数の材料、例えば、互いに結合された複合材料上の金属で形成され得る。
【００６１】
ガイドレール９は、押し出し、圧延、および他のそれ自体よく知られている成形プロセスによって成形することができる。ガイドレールは、特定の実施形態では、支持レール１０のセクションにすでに取り付けられているか、または別個の支持レールにその場で取り付けられて供給され得る。ガイドレール９は、磁気分極されないようにしてヒステリシスを低減するために、好ましくは非磁性材料で形成されている。
【００６２】
特定の実施形態では、支持レール１０は、連続レールであり得るか、またはスペースのあるセクションまたはスペースのないセクションで提供され得る。
【００６３】
ガイドレール９は主に浮上面として機能することを考慮すると、ガイドレールと支持レールの熱膨張を可能にして車輪レール、地面、および磁気浮上レールの間の異なる熱膨張を調整するために、直接結合されるか、または直接結合されないセクションで提供されてもよい。
【００６４】
ガイドレール９は、ほぼ平坦な水平断面および垂直断面を有する構成要素として示されているが、様々な複雑な形状を有することができ、さらに、本発明の範囲から逸脱することなく、単一のレールを形成するように、支持レール１０に直接組み込まれるかまたは一体的に形成され得る。
【００６５】
図８ａに示されるように、鉄道車両２上の磁気浮上装置１２は、磁石１２ａを含み、これは、好ましい実施形態では、例えば、図８ｂに示されるように、磁極間で方向が１８０°変化する、または、または図８ｃに示すように磁極の方向が９０°変化する（既知のハルバッハ配列に対応）交互分極を有する永久磁石の形態であり得る。ただし、たとえば、隣接するセグメントに対して４５°または３０°回転するセグメントを使用するような他の磁極配置も可能である。ただし、鉄道車両には、永久磁石の代わりに、または永久磁石に加えて電磁石を取り付けることができる。後者の実施形態では、これは、低速でより高い磁気浮上力を生成するために有用であり得、それにより、電磁石をより高速でオフまたはオンにすることができる。
【００６６】
実施形態では、鉄道車両は、例えば、以下のような様々な構成を含み得る。
１．始動／減速−エネルギー消費量が多いため、リニアモーターは外部電源から電力を供給される。例えば図９ａに概略的に示されているように、浮上と安定化のための永久磁石が存在する。
２．クルーズまたはスピードブースティング（真空システム内）−実質的に一定の速度を維持するために、高出力モーターは必要ない。そのため、鉄道車両の推進電磁石がオンになり、たとえば図９ｂの概略図に示すように、推進と浮上を同時に提供するように機能する。このような場合、パワーは通常、加速中のピークパワーの３分の１〜５分の１になる。
３．真空システム（緊急事態を考慮しない）内では、車両はリニアモーターによって加速され、その後、低空気抵抗により、加速中のリニアモーターのピーク電力の約４０分の１〜１００分の１の低消費電力で運転（惰行）される。
【００６７】
アルミニウムなどの可動要素用の導電性プレートは、惰行中の浮上および推進に使用することができる。搭載された電磁石に電力を供給するエネルギーは、バッテリー、燃料電池、ワイヤレス電力伝送、パンタグラフ、またはそれらの任意の組み合わせから得られる。
【００６８】
有利なことに、磁気浮上列車が、磁気浮上線路または代わりに別の線路（例えば、既存の従来の車輪レール線路）上に低速で静止することができる車輪を有するパッシブ浮上システムの使用は、既存の鉄道ネットワークに統合することが非常に簡単であり、浮上線路にコイルを設置することによる複雑さを回避する。アクティブ浮揚システムのコイルは、設置の複雑さとコストを増加させるだけでなく、アクティブ浮揚トラックのいずれかのセクションに障害が発生した場合のシステムの信頼性を低下させる。ガイドレールの機械的な取り付けと調整、および高さの調整は、このようなパッシブ浮上システムによって大幅に簡素化され、さらに、ガイドレールにコイルがない場合、システムの堅牢性と耐久性が向上する。
【００６９】
既存の従来の鉄道路線の外側にガイドレールを設けることは、磁気浮上車両の転がりに対して高い安定性を有するという点でも有利である。
【００７０】
「水平」および「垂直」という用語の使用は、線路のカーブにおける磁気浮上車両の傾斜を可能にするために、数度の傾斜を含むことを意図していることに留意されたい。
【００７１】
図５ａから図５ｃを参照すると、新しい設備のための本発明の実施形態による枕木４が、基板、特にそれ自体が知られている補強材４８を有するコンクリート基板４６を含む。枕木は、基板に埋め込まれ、枕木の上部取付面を超えて突出する部分を有する複数のアンカー要素５０をさらに含み、従来のレールおよび、さらに、枕木の外端の磁気浮上レール両方に固定要素を提供する。
【００７２】
図６ａから図６ｄを参照すると、本発明の実施形態による鉄道システムで使用され得るリニアモーターの様々な構成が示されている。図６ａでは、リニアモーターは、リニアモーターにおいてそれ自体既知の方法で電機子に巻かれた複数のコイル２６を保持する電機子２４を備える。通常、３相システムのそれぞれに１つずつ、３つのコイルのグループが存在する場合がある。
【００７３】
電機子は、強磁性材料（鉄）でできていても、非強磁性（非鉄）でもよい。好ましい実施形態では、電機子は鉄を含まない。コイルは、ワイヤー、ケーブル、または切断および曲げられた銅板でできている場合がある。
【００７４】
リニアモーター７は、図１ａ、図１ｂ、図３および図９ａに示されるように、線路の中心線に沿って取り付けられ得る固定子７ａを含み、鉄道車両は、それ自体よく知られているように力を提供するためにリニアモーターに磁気的に結合する永久磁石または電磁石を備えた可動要素７ｂを備える。
【００７５】
図６ｂの構成では、２組のコイルが設けられ、可動磁気要素７ｂがリニアモーター固定子７ａの反対側に設けられ、これは、一般に、図６ａに示すような片側のシステムより高い電力を生成することができるという観点から好ましい構成である。
【００７６】
図６ａおよび図６ｂは同期モーターを示すが、リニアモーターは、図６ｃおよび図６ｄに示すように非同期タイプとすることができる。ここで、可動要素は、誘導によって力を生成する導電性要素である。
【００７７】
リニアモーターの様々な構成はそれ自体よく知られており、本明細書で詳細に説明する必要はないだろう。
【００７８】
好ましい実施形態では、リニアモーターは、従来の鉄道線路の中心線に沿って有利に配置され、磁気浮上式鉄道線路３とは独立して設置して、従来の鉄道車両１０２と干渉することなく迅速かつ容易に設置することができる。リニアモーターの固定子７ａが鉄道車両２の可動磁気要素７ｂの間で垂直に直立している図６ｂのモーター構成が好ましい。リニアモーターの高さを正確に調整する必要がないため、高さよりも線路間の横方向位置を正確に調整しやすいというメリットがある。
【００７９】
しかし、本発明の範囲内で、図９ｄに示されるようなモーター配置を、図６ａまたは６ｃに対応するモーターと共に有することが可能であり、リニアモーターの固定子が水平に配置され、鉄道車両２のベースに水平に配置されている磁気可動要素に結合する。別の実施形態では、図２および図１１ａ〜図１３に示されるように、リニアモーターを片側または両側の磁気浮上レール５に沿って配置し、それに結合することも可能であり、それにより、鉄道車両に対するモーターの位置は、ガイドレール９に対する固定位置を考慮して十分に制御される。このモーターは、中心線に沿ったリニアモーターの代わりになる場合もあれば、図１１ａ〜図１３に示すように追加される場合もある。追加のリニアモーターは、異なるシステムの車両に適応するために使用できる。言い換えると、中央にリニアモーターまたは外側にリニアモーターを備えた鉄道車両に適応するために使用できる。または代わりに特に磁気浮上車両の加速または制動中に力を増加させるための複数のモーターを有するように使用される。電磁的手段により高い制動力を発生させるためには、複数のリニアモーターを使用することが特に有利である可能性がある。
【００８０】
既存の従来の線路に沿って磁気浮上式鉄道線路を設置することに加えて、例えば図１０および図１０ｂに示すように、既存の道路インフラストラクチャに沿って磁気浮上式鉄道システムを容易に統合するために本発明の原理を採用することも可能である。図１０ａにおいて、３車線の道路や高速道路が図示され、例えば、磁気浮上式鉄道システムのための１つのレーンを使用するように改修することができる。後者の場合、磁気浮上式鉄道システムは、有利には真空管８を備え得る。上記のような磁気浮上レール５の様々な特徴は、真空管を備えたシステムでも使用することができる。
【００８１】
コンクリートまたはアスファルトで形成され得る既存の非バラスト地面支持体１０１ｂに取り付ける場合、本発明の一態様によれば、製造されたベースプレート１３は、地面−プレート界面層１９を介して非バラスト地面支持体１０１ｂに取り付けるために提供される。地面−プレート界面層は、アスファルト、ポリマー、または製造されたベースプレート１３と非バラスト地面支持体１０１ｂとの間に特定の応力分布と減衰接続を提供する他の変形可能な材料でできている場合がある。
【００８２】
レジスタ要素２１は、例えば、地面−プレート位置決めポストの形態で、個別の位置に、または製造されたベースプレートの中心線に近接する連続または断続的なレールとして設けることができ、非バラスト地面支持体１０１ｂに対してベースプレートを固定して配置することができる。
【００８３】
変形可能な地面−プレート界面層１９は、表面間の平面性の違いを有利に吸収し、また、ベースプレートと地面との間の応力のより良い分布を可能にする。
【００８４】
製造されたベースプレート１３は、鉄道または道路による従来の輸送を可能にする寸法で提供され、典型的には、幅２メートル〜１０メートルおよび長さ２メートル〜１２メートルを有する。製造されたベースプレート上に、線路の方向に間隔を置いて複数の固定インサート１８を設けることができる。固定インサート１８は、磁気浮上式鉄道線路３を固定するために構成され、さらに、車輪鉄道線路が複合システムに設けられている場合に、車輪鉄道線路１０３のレール１０５を固定するために構成される。固定インサート１８は、製造されたベースプレートの基板１６に設けられた固定インサート受容部２０の内側に取り付けることができる。任意選択で、インサート取付インターフェース２２を、固定インサートと基板１６との間の減衰および／または応力分布のために、固定インサートと受容部との間に設けることができる。インサート取付インターフェース２２は、ポリマー、アスファルト、または他の変形可能な材料でできていてもよい。
【００８５】
固定インサートはまた、例えば、特に線路のカーブに対して、線路のわずかな角度傾斜を提供するために、製造されたベースプレート１３の基板に対して高さおよび傾斜角を調整することができる。
【００８６】
製造されたベースプレート１３は、基板１６と、基板内に埋め込まれた１つまたは複数の部品の補強フレーム１４とを含む。一実施形態では、補強フレーム１４は、工場で製造され、設置場所に運ばれ、続いて基板１６が補強フレーム１４の周りにその場で注がれる。別の構成では、補強フレーム１４および基板は、工場で、または設置場所から離れている場所で予め製作部品として形成され、地面支持体１０１上に取り付けるために設置場所に輸送される。
【００８７】
補強フレーム１４は、好ましくは、コンクリートに補強を提供するために金属構造で作られている。
【００８８】
図１３に示されるような有利な実施形態では、真空管８は、磁気浮上式鉄道車両２の通過のための空気抵抗を低減するために管内に部分真空を作り出すために、製造されたベースプレート１３に取り付けられ得る。車輪鉄道車両も、加圧されたコンパートメントを備えているため、空気抵抗が減少するというメリットがある。車輪レールは、代替的または追加的に、磁気浮上式車両よりも低速で移動する車輪を有するサービス車両を輸送するのに役立つ場合がある。車輪レールは、代替的または追加的に、従来の車輪線路鉄道インフラストラクチャと相互運用可能な追加の鋼製車輪を有する磁気浮上車両に使用できるため、真空管を離れた後、車両は従来の方法で車輪で移動できる。
【００８９】
鉄道車両用の真空管システム自体は既知である。本発明の実施形態では、真空管は、有利には、共に組み立てられ、上端で共に結合され、基端で製造されたベースプレート１３の外側側縁に結合される少なくとも２つの壁部分８ａ、８ｂを含み得る。壁部分８ａ、８ｂをベースプレート１３に組み立てて管を形成した後、部分真空のための実質的に気密シールを提供するために、シール層５０ａ、５０ｂを接合界面に結合またはコーティングすることができる。シーリング層は、亀裂を気密に埋めるように設計されたポリマー材料でできている場合がある。
【符号の説明】
【００９０】
０  鉄道システム
１０１  線路地面支持体
１０１ａ  バラスト（砂利、石）
１０１ｂ  非バラスト（コンクリート、アスファルト、…）
１３  製作されたベースプレート
１４  補強フレーム
１６  基板（コンクリートなど）
２０  固定インサート受容部
１８  固定インサート
２２  インサート取付インターフェース
１９  地面−プレート界面層
２１  地面−プレート位置決めポスト
１０２  車輪鉄道車両
１０３  車輪鉄道線路
１０４、４  枕木／非バラストレール支持体
１０５  レール（車輪用）
１０６  固定機構
２  磁気浮上式鉄道車両
１２  浮上装置
磁石
３  磁気浮上式鉄道線路
４、１０４  枕木
４６  基板（コンクリート）
４８  テンションロッド補強材
５０  アンカー要素
３６ｂ  傾斜ガイド面
６  固定機構
５  磁気浮上レール
９  ガイドレール
１０  支持レール
１１  結合アダプタ
２８  支持ピラー
３０  車輪レール固定部分
３８  プロファイル受容部
４０  クランプフック
３２  位置調整機構
３４  調整ネジ
３６ａ  調整ガイド面
４４  バネ
４２アダプターガイドレール界面層
７  リニアモーター
７ａ  固定子
２４  電機子
２６  コイル
７ｂ  可動要素
永久磁石
誘導プレート
８  真空管
８ａ、８ｂ  壁部分
基端
先端
シーリング層５２ａ、５２ｂ
【図１ａ】
2021535309.tif 000003
【図１ｂ】
2021535309.tif 000004
【図２】
2021535309.tif 000005
【図３】
2021535309.tif 000006
【図４ａ】
2021535309.tif 000007
【図４ｂ】
2021535309.tif 000008
【図４ｃ】
2021535309.tif 000009
【図４ｄ】
2021535309.tif 000010
【図４ｅ】
2021535309.tif 000011
【図５ａ】
2021535309.tif 000012
【図５ｂ】
2021535309.tif 000013
【図５ｃ】
2021535309.tif 000014
【図６ａ】
2021535309.tif 000015
【図６ｂ】
2021535309.tif 000016
【図６ｃ】
2021535309.tif 000017
【図６ｄ】
2021535309.tif 000018
【図７ａ】
2021535309.tif 000019
【図７ｂ】
2021535309.tif 000020
【図８ａ】
2021535309.tif 000021
【図８ｂ】
2021535309.tif 000022
【図８ｃ】
2021535309.tif 000023
【図９ａ】
2021535309.tif 000024
【図９ｂ】
2021535309.tif 000025
【図９ｃ】
2021535309.tif 000026
【図９ｄ】
2021535309.tif 000027
【図１０ａ】
2021535309.tif 000028
【図１０ｂ】
2021535309.tif 000029
【図１１ａ】
2021535309.tif 000030
【図１１ｂ】
2021535309.tif 000031
【図１２】
2021535309.tif 000032
【図１３】
2021535309.tif 000033
【国際調査報告】
2021535309.tif 000034
2021535309.tif 000035
2021535309.tif 000036